【事件の表示】
　特願２０１３−１３８９３９「電子写真用トナー」拒絶査定不服審判事件〔平成２７年　１月１９日出願公開、特開２０１５−　１１３１６、請求項の数（１）〕について、次のとおり審決する。
【結　論】
　原査定を取り消す。
　本願の発明は、特許すべきものとする。
【理　由】
第１　手続の経緯
　本願は、平成２５年７月２日の出願であって、その手続等の経緯は、概略、以下のとおりである。
平成２８年１２月　２日付け：拒絶理由通知書
平成２９年　１月１９日付け：意見書、手続補正書
平成２９年　６月２９日付け：拒絶査定（以下「原査定」という。）
平成２９年　９月２７日付け：審判請求書、手続補正書
平成３０年　７月１８日付け：拒絶理由通知書
平成３０年　９月１０日付け：意見書、手続補正書
第２　原査定の概要
　原査定の拒絶の理由は、概略、次のとおりである。
１．本願の請求項１に係る発明は、その出願前に日本国内又は外国において、頒布された下記の刊行物に記載された発明であるから、特許法２９条１項３号に該当し、特許を受けることができない。
２．本願の請求項１に係る発明は、その出願前に日本国内又は外国において、頒布された下記の刊行物に記載された発明に基づいて、その出願前にその発明の属する技術の分野における通常の知識を有する者（以下「当業者」という。）が容易に発明することができたものであるから、特許法２９条２項の規定により特許を受けることができない、というものである。
引用文献Ａ：特開２０１１−１５０３２０号公報
第３　平成３０年７月１８日付けの拒絶理由通知書における拒絶の理由の概要
　平成３０年７月１８日付けの拒絶理由通知書における拒絶の理由は、概略、次のとおりである。
１．本願の請求項１、２に係る発明は、その出願前に日本国内又は外国において、頒布された下記の刊行物に記載された発明であるから、特許法２９条１項３号に該当し、特許を受けることができない。 
２．本願の請求項１、２に係る発明は、その出願前に日本国内又は外国において、頒布された下記の刊行物に記載された発明に基づいて、その出願前に当業者が容易に発明をすることができたものであるから、特許法２９条２項の規定により特許を受けることができない。 
引用文献１：特開２０１２−９８７１９号公報
   
３．本願の請求項１、２に係る発明は、その出願の日前の特許出願であって、その出願後に特許掲載公報の発行又は出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法２９条の２の規定により、特許を受けることができない。 
  
先願２：特願２０１３−６８０４７号（特開２０１３−２２８７２４号） 
第４　本願発明
　本願の請求項１に係る発明（以下、「本願発明」という。）は、平成３０年９月１０日付けの手続補正で補正された特許請求の範囲の請求項１に記載された事項により特定されるとおりの、以下の発明である。 
「　ポリエステル樹脂である結着樹脂と、ワックスと、着色剤と、トナー用相溶化剤との混合物を含有する電子写真用粉砕トナーであって、
　前記トナー用相溶化剤は、下記一般式（１）で表される（メタ）アクリル酸エステル単量体単位を５０質量％以上含み、かつ１／２法による溶融温度が５５℃以上である重合体であり、
　ＣＨ２＝ＣＲ１−ＣＯＯＲ２　　・・・（１）
　（式（１）中、Ｒ１は水素原子またはメチル基であり、Ｒ２は炭素数１８以上のアルキル基である。）
　前記結着樹脂１００質量部に対して、前記トナー用相溶化剤を０．３質量部以上１０質量部以下含有する、電子写真用トナー。」
第５　引用文献、引用発明、先願発明等
１　引用文献１の記載事項
　平成３０年７月１８日付けの拒絶理由書で通知した拒絶の理由において引用文献１として引用され、本願の出願前に頒布された刊行物である特開２０１２−９８７１９号公報（以下「引用文献１」という。）には、以下の事項が記載されている。なお、下線は、当合議体が付したものであり、引用発明の認定に活用した箇所を示す。
（１）「【技術分野】
【０００１】
　本発明は電子写真法、静電記録法や静電印刷法等において、静電荷像または磁気潜像の現像に用いられる乾式トナー用として有用な、ポリエステル樹脂を含有するトナーバインダー、およびトナー組成物に関する。
・・・（中略）・・・
【発明が解決しようとする課題】
【０００４】
　本発明は、低温定着性と耐ホットオフセット性の両立（定着温度幅）に優れ、且つ保存安定性にも優れたトナーバインダーを提供することを目的とする。」
（２）「【発明を実施するための形態】
【０００７】
　以下、本発明を詳述する。
　本発明のトナーバインダーは、ポリエステル樹脂（Ａ）と結晶性樹脂（Ｂ）とを含有する。
・・・（中略）・・・
【００５２】
　結晶性樹脂（Ｂ）は、結晶性部（ｂ）のみで構成されても、結晶性部（ｂ）と非結晶性部（ｃ）とをもつブロック樹脂で構成されても、結晶性を有していれば構わないが、定着性（特に耐ホットオフセット性）の観点から、（ｂ）と（ｃ）とで構成されるブロック樹脂であることが好ましい。
・・・（中略）・・・
【００８７】
　結晶性樹脂（Ｂ）としては、上記のブロックポリマーが好ましいが、非結晶性部（ｃ）を有さず、結晶性部（ｂ）のみからなる樹脂を用いることもできる。
　結晶性部のみからなる（Ｂ）の組成としては、前記の結晶性部（ｂ）と同様のもの、および結晶性ビニル樹脂が挙げられる。
　結晶性ビニル樹脂としては、結晶性基を有するビニルモノマー（ｍ）と、必要により結晶性基を有しないビニルモノマー（ｎ）を構成単位として有するものが好ましい。
【００８８】
　ビニルモノマー（ｍ）としては、アルキル基の炭素数が１２〜５０の直鎖アルキル（メタ）アクリレート（ｍ１）（炭素数１２〜５０の直鎖アルキル基が結晶性基である）、および前記結晶性部（ｂ）の単位を有するビニルモノマー（ｍ２）等が挙げられる。
　結晶性ビニル樹脂としては、ビニルモノマー（ｍ）として、アルキル基の炭素数が１２〜５０（好ましくは１６〜３０）の直鎖アルキル（メタ）アクリレート（ｍ１）を含有するものがさらに好ましい。
　（ｍ１）としては、各アルキル基がいずれも直鎖状の、ラウリル（メタ）アクリレート、テトラデシル（メタ）アクリレート、ステアリル（メタ）アクリレート、エイコシル（メタ）アクリレート、およびベヘニル（メタ）アクリレート等が挙げられる。
　なお、本発明において、アルキル（メタ）アクリレートとは、アルキルアクリレートおよび／またはアルキルメタアクリレートを意味し、以下同様の記載法を用いる。
・・・（中略）・・・
【０１２６】
　本発明のトナー組成物は、本発明のトナーバインダーと、着色剤、および必要により、離型剤、荷電制御剤、流動化剤等から選ばれる１種以上の添加剤を含有する。
・・・（中略）・・・
【０１３３】
　本発明のトナー組成物は、混練粉砕法、乳化転相法、重合法等の従来より公知のいずれの方法により得られたものであってもよい。」
（３）「【実施例】
【０１３６】
　以下実施例、比較例により本発明を更に説明するが、本発明はこれに限定されるものではない。以下、％は重量％を示す。
【０１３７】
製造例１
〔ポリエステル樹脂（Ａ−１）の合成〕
・・・（中略）・・・
【０１５２】
製造例１６〔結晶性樹脂Ｂの製造〕
　
撹拌装置、加熱冷却装置、温度計、滴下ロート、および窒素吹き込み管を備えた反応容器に、トルエン５００部を仕込み、別のガラス製ビーカーに、トルエン３５０部、ベヘニルアクリレート（炭素数２２個の直鎖アルキル基を有するアルコールのアクリレート：ブレンマーＶＡ（日本油脂製））１２０部、２−エチルヘキシルアクリレート２０部、メタクリル酸１０部、アゾビスイソブチロニトリル（ＡＩＢＮ）７．５部を仕込み、２０℃で撹拌、混合して単量体溶液を調製し、滴下ロートに仕込んだ。反応容器の気相部の窒素置換を行った後に密閉下８０℃で２時間かけて単量体溶液を滴下し、滴下終了から２時間、８５℃で熟成した後、トルエンを１３０℃で３時間減圧除去して、結晶性ビニル樹脂である［結晶性樹脂Ｂ−４］を得た。
・・・（中略）・・・
【０１６４】
＜実施例１〜１５＞、＜比較例１〜４＞
　
上記製造例で得られたポリエステル樹脂（Ａ−１）〜（Ａ−７）、結晶性樹脂（Ｂ−１）〜（Ｂ−６）
を、表３の配合比（部）に従い配合し、本発明のトナーバインダー
を得て、下記の方法でトナー化した。
　
まず、カーボンブラックＭＡ−１００［三菱化学(株)製］８部、カルナバワックス５部、荷電制御剤Ｔ−７７［保土谷化学(製)］１部を加え、ヘンシェルミキサー
を用いて予備混合した後、二軸混練機
で混練した。ついで超音速ジェット粉砕機ラボジェット
を用いて微粉砕した後、気流分級機
で分級し、粒径Ｄ５０が８μｍのトナー粒子を得た。ついで、トナー粒子１００部にコロイダルシリカ（アエロジルＲ９７２：日本アエロジル製）０．５部をサンプルミルにて混合して、本発明のトナー組成物（Ｔ−１）〜（Ｔ−１５）
を得た
　
下記評価方法で評価した評価結果を表３に示す。表３中、空欄はその原料の配合がないことを示す。
【０１６５】
【表３】
」
２　引用発明
　引用文献１の【０００１】の記載からすると、引用文献１にいう本発明は、電子写真法、静電記録法や静電印刷法等における、静電荷像または磁気潜像の現像に用いられるトナー組成物に関するものであり、引用文献１に記載された実施例は、静電荷現像用トナー組成物に関するものであるといえる。
　そうしてみると、引用文献１の【０１３７】、【０１５２】、【０１６４】及び【０１６５】には、実施例８として、次の発明（以下「引用発明１」という。）が記載されている。なお、ポリエステル樹脂（Ａ−１）及び結晶性樹脂（Ｂ−４）の配合部は【０１６５】の【表３】に記載された数値である。
「　ポリエステル樹脂（Ａ−１）３０部、結晶性樹脂（Ｂ−４）７０部を配合し、トナーバインダーを得、
　カーボンブラックＭＡ−１００［三菱化学(株)製］８部、カルナバワックス５部、荷電制御剤Ｔ−７７［保土谷化学(製)］１部を加え、ヘンシェルミキサーを用いて予備混合した後、二軸混練機で混練し、
　超音速ジェット粉砕機ラボジェットを用いて微粉砕した後、気流分級機で分級してトナー粒子を得、
　トナー粒子１００部にコロイダルシリカ（アエロジルＲ９７２：日本アエロジル製）０．５部をサンプルミルにて混合して得た、
　静電荷現像用のトナー組成物（Ｔ−８）であって、
　上記結晶性樹脂（Ｂ−４）は、撹拌装置、加熱冷却装置、温度計、滴下ロート、および窒素吹き込み管を備えた反応容器に、トルエン５００部を仕込み、別のガラス製ビーカーに、トルエン３５０部、ベヘニルアクリレート（炭素数２２個の直鎖アルキル基を有するアルコールのアクリレート：ブレンマーＶＡ（日本油脂製））１２０部、２−エチルヘキシルアクリレート２０部、メタクリル酸１０部、アゾビスイソブチロニトリル（ＡＩＢＮ）７．５部を仕込み、２０℃で撹拌、混合して単量体溶液を調製し、滴下ロートに仕込み、反応容器の気相部の窒素置換を行った後に密閉下８０℃で２時間かけて単量体溶液を滴下し、滴下終了から２時間、８５℃で熟成した後、トルエンを１３０℃で３時間減圧除去して得たものである、
　静電荷現像用のトナー組成物（Ｔ−８）。」
３　先願明細書の記載事項
　平成３０年７月１８日付けの拒絶理由通知書で通知した拒絶の理由において先願２として引用され、本願の特許出願後に出願公開（特開２０１３−２２８７２４号）がされた、特願２０１３−６８０４７号の願書の最初に添付された明細書（以下「先願明細書」という。）には以下の事項が記載されている。
（１）「【技術分野】
【０００１】
　本発明は電子写真法、静電記録法や静電印刷法等において、静電荷像または磁気潜像の現像に用いられる乾式トナー用として有用な、ポリエステル樹脂を含有するトナーバインダー、およびトナー組成物に関する。
・・・（中略）・・・
【発明が解決しようとする課題】
【０００４】
　本発明は、低温定着性と耐ホットオフセット性の両立（定着温度幅）に優れ、且つ保存安定性にも優れたトナーバインダーを提供することを目的とする。」
（２）「【発明を実施するための形態】
【０００７】
　以下、本発明を詳述する。
　本発明のトナーバインダーは、ポリエステル樹脂（Ａ）と結晶性樹脂（Ｂ）とを含有する。
・・・（中略）・・・
【００２８】
　本発明のトナーバインダー中には、ポリエステル樹脂（Ａ）と共に結晶性樹脂（Ｂ）を含有する。
・・・（中略）・・・
【００３８】
　結晶性樹脂（Ｂ）は、結晶性部（ｂ）のみで構成されても、結晶性部（ｂ）と非結晶性部（ｃ）とをもつブロック樹脂で構成されても、結晶性を有していれば構わないが、定着性（特に耐ホットオフセット性）の観点から、（ｂ）と（ｃ）とで構成されるブロック樹脂であることが好ましい。
・・・（中略）・・・
【００７３】
　結晶性樹脂（Ｂ）としては、上記のブロックポリマーが好ましいが、非結晶性部（ｃ）を有さず、結晶性部（ｂ）のみからなる樹脂を用いることもできる。
　結晶性部のみからなる（Ｂ）の組成としては、前記の結晶性部（ｂ）と同様のもの、および結晶性ビニル樹脂が挙げられる。
　結晶性ビニル樹脂としては、結晶性基を有するビニルモノマー（ｍ）と、必要により結晶性基を有しないビニルモノマー（ｎ）を構成単位として有するものが好ましい。
【００７４】
　ビニルモノマー（ｍ）としては、アルキル基の炭素数が１２〜５０の直鎖アルキル（メタ）アクリレート（ｍ１）（炭素数１２〜５０の直鎖アルキル基が結晶性基である）、および前記結晶性部（ｂ）の単位を有するビニルモノマー（ｍ２）等が挙げられる。
　結晶性ビニル樹脂としては、ビニルモノマー（ｍ）として、アルキル基の炭素数が１２〜５０（好ましくは１６〜３０）の直鎖アルキル（メタ）アクリレート（ｍ１）を含有するものがさらに好ましい。
　（ｍ１）としては、各アルキル基がいずれも直鎖状の、ラウリル（メタ）アクリレート、テトラデシル（メタ）アクリレート、ステアリル（メタ）アクリレート、エイコシル（メタ）アクリレート、およびベヘニル（メタ）アクリレート等が挙げられる。
　なお、本発明において、アルキル（メタ）アクリレートとは、アルキルアクリレートおよび／またはアルキルメタアクリレートを意味し、以下同様の記載法を用いる。
・・・（中略）・・・
【０１０９】
　本発明のトナー組成物は、本発明のトナーバインダーと、着色剤、および必要により、離型剤、荷電制御剤、流動化剤等から選ばれる１種以上の添加剤を含有する。
・・・（中略）・・・
【０１１６】
　本発明のトナー組成物は、混練粉砕法、乳化転相法、重合法等の従来より公知のいずれの方法により得られたものであってもよい。」
（３）「【実施例】
【０１１９】
　以下実施例、比較例により本発明を更に説明するが、本発明はこれに限定されるものではない。以下、％は重量％を示す。
【０１２０】
製造例１
〔ポリエステル樹脂（Ａ−１）の合成〕
・・・（中略）・・・
【０１２２】
製造例３
〔ポリエステル樹脂（Ａ−３）の合成〕
・・・（中略）・・・
【０１３５】
製造例１６〔結晶性樹脂Ｂの製造〕
　
撹拌装置、加熱冷却装置、温度計、滴下ロート、および窒素吹き込み管を備えた反応容器に、トルエン５００部を仕込み、別のガラス製ビーカーに、トルエン３５０部、ベヘニルアクリレート（炭素数２２個の直鎖アルキル基を有するアルコールのアクリレート：ブレンマーＶＡ（日本油脂製））１２０部、２−エチルヘキシルアクリレート２０部、メタクリル酸１０部、アゾビスイソブチロニトリル（ＡＩＢＮ）７．５部を仕込み、２０℃で撹拌、混合して単量体溶液を調製し、滴下ロートに仕込んだ。反応容器の気相部の窒素置換を行った後に密閉下８０℃で２時間かけて単量体溶液を滴下し、滴下終了から２時間、８５℃で熟成した後、トルエンを１３０℃で３時間減圧除去して、結晶性ビニル樹脂である［結晶性樹脂Ｂ−４］を得た。
・・・（中略）・・・
【０１４８】
＜実施例１〜１９＞、＜比較例１〜４＞
　
上記製造例で得られたポリエステル樹脂（Ａ−１）〜（Ａ−７）、結晶性樹脂（Ｂ−１）〜（Ｂ−６）
を、表４の配合比（部）に従い配合し、本発明のトナーバインダー、および比較のトナーバインダーを得て、下記の方法でトナー化した
　
まず、カーボンブラックＭＡ−１００［三菱化学(株)製］８部、カルナバワックス５部、荷電制御剤Ｔ−７７［保土谷化学(製)］１部を加え、ヘンシェルミキサー
を用いて予備混合した後、二軸混練機
で混練した。ついで超音速ジェット粉砕機ラボジェット
を用いて微粉砕した後、気流分級機
で分級し、粒径Ｄ５０が８μｍのトナー粒子を得た。ついで、トナー粒子１００部にコロイダルシリカ（アエロジルＲ９７２：日本アエロジル製）０．５部をサンプルミルにて混合して、本発明のトナー組成物（Ｔ−１）〜（Ｔ−１９）
を得た。
　下記評価方法で評価した評価結果を表４に示す。表４中、空欄はその原料の配合がないことを示す。
【０１４９】
【表４】
」
４　先願発明
 　先願明細書の【０００１】の記載からすると、先願明細書にいう本発明は、電子写真法、静電記録法や静電印刷法等における、静電荷像または磁気潜像の現像に用いられるトナー組成物に関するものであり、先願明細書に記載された実施例は、静電荷現像用トナー組成物に関するものであるといえる。
　そうしてみると、先願明細書には、次の２つの発明が記載されている（以下それぞれを「先願発明２−１」及び「先願発明２−２」といい、両者を総称して「先願発明２」という。）
　なお、ポリエステル樹脂（Ａ−１）、ポリエステル樹脂（Ａ−３）及び結晶性樹脂（Ｂ−４）の配合部は【０１４９】の【表４】に記載された数値である。
（先願発明２−１）
「　ポリエステル樹脂（Ａ−１）３０部、結晶性樹脂（Ｂ−４）７０部を配合し、
　カーボンブラックＭＡ−１００［三菱化学(株)製］８部、カルナバワックス５部、荷電制御剤Ｔ−７７［保土谷化学(製)］１部を加え、ヘンシェルミキサーを用いて予備混合した後、二軸混練機で混練し、ついで超音速ジェット粉砕機ラボジェットを用いて微粉砕した後、気流分級機で分級し、粒径Ｄ５０が８μｍのトナー粒子を得、トナー粒子１００部にコロイダルシリカ（アエロジルＲ９７２：日本アエロジル製）０．５部をサンプルミルにて混合して得た、
　静電荷現像用のトナー組成物（Ｔ−９）であって、
　上記結晶性樹脂（Ｂ−４）は、撹拌装置、加熱冷却装置、温度計、滴下ロート、および窒素吹き込み管を備えた反応容器に、トルエン５００部を仕込み、別のガラス製ビーカーに、トルエン３５０部、ベヘニルアクリレート（炭素数２２個の直鎖アルキル基を有するアルコールのアクリレート：ブレンマーＶＡ（日本油脂製））１２０部、２−エチルヘキシルアクリレート２０部、メタクリル酸１０部、アゾビスイソブチロニトリル（ＡＩＢＮ）７．５部を仕込み、２０℃で撹拌、混合して単量体溶液を調製し、滴下ロートに仕込み、反応容器の気相部の窒素置換を行った後に密閉下８０℃で２時間かけて単量体溶液を滴下し、滴下終了から２時間、８５℃で熟成した後、トルエンを１３０℃で３時間減圧除去して得たものである、
　静電荷現像用のトナー組成物（Ｔ−９）。」
（先願発明２−２）
「　ポリエステル樹脂（Ａ−３）６０部、結晶性樹脂（Ｂ−４）４０部を配合し、
　カーボンブラックＭＡ−１００［三菱化学(株)製］８部、カルナバワックス５部、荷電制御剤Ｔ−７７［保土谷化学(製)］１部を加え、ヘンシェルミキサーを用いて予備混合した後、二軸混練機で混練し、ついで超音速ジェット粉砕機ラボジェットを用いて微粉砕した後、気流分級機で分級し、粒径Ｄ５０が８μｍのトナー粒子を得、トナー粒子１００部にコロイダルシリカ（アエロジルＲ９７２：日本アエロジル製）０．５部をサンプルミルにて混合して得た、
　静電荷現像用のトナー組成物（Ｔ−１２）であって、
　上記結晶性樹脂（Ｂ−４）は、撹拌装置、加熱冷却装置、温度計、滴下ロート、および窒素吹き込み管を備えた反応容器に、トルエン５００部を仕込み、別のガラス製ビーカーに、トルエン３５０部、ベヘニルアクリレート（炭素数２２個の直鎖アルキル基を有するアルコールのアクリレート：ブレンマーＶＡ（日本油脂製））１２０部、２−エチルヘキシルアクリレート２０部、メタクリル酸１０部、アゾビスイソブチロニトリル（ＡＩＢＮ）７．５部を仕込み、２０℃で撹拌、混合して単量体溶液を調製し、滴下ロートに仕込み、反応容器の気相部の窒素置換を行った後に密閉下８０℃で２時間かけて単量体溶液を滴下し、滴下終了から２時間、８５℃で熟成した後、トルエンを１３０℃で３時間減圧除去して得たものである、
　静電荷現像用のトナー組成物（Ｔ−１２）。」
第６　引用発明及び先願発明との対比・判断
１　引用発明１
　本願発明と引用発明１を対比すると、以下のとおりとなる。
（１）結着樹脂、ワックス、着色剤
　引用発明１の「ポリエステル樹脂（Ａ−１）」、「カルナバワックス」及び「カーボンブラックＭＡ−１００［三菱化学(株)製］」はそれぞれ、技術的にみて、本願発明１の「ポリエステル樹脂である結着樹脂」、「ワックス」及び「着色剤」に相当する。
（２）電子写真用粉砕トナー　
　引用発明１の「トナー組成物（Ｔ−８）」は、「静電荷現像用」のものであるから、電子写真用であることは明らかである。
　また、引用発明１は、「ポリエステル樹脂（Ａ−１）３０部、結晶性樹脂（Ｂ−４）７０部配合し、トナーバインダーを得、カーボンブラックＭＡ−１００［三菱化学(株)製］８部、カルナバワックス５部、荷電制御剤Ｔ−７７［保土谷化学(製)］１部を加え、ヘンシェルミキサー［三井三池化工機(株)製  ＦＭ１０Ｂ］を用いて予備混合した後、二軸混練機で混練し、超音速ジェット粉砕機ラボジェット［日本ニューマチック工業(株)製］を用いて微粉砕した後、気流分級機で分級してトナー粒子を得」たものである。そうしてみると、引用発明１の「トナー組成物（Ｔ−８）」は、ポリエステル樹脂である結着樹脂、ワックス及び着色剤を含有する、粉砕トナーであるといえる。
　したがって、引用発明１の「トナー組成物（Ｔ−８）」と、本願発明の「電子写真用トナー」は、「ポリエステル樹脂である結着樹脂と、ワックスと、着色剤と」「を含有する」点で共通する。また、引用発明１の「トナー組成物（Ｔ−８）」は、本願発明の「電子写真用粉砕トナー」に相当するといえる。
２　一致点及び相違点
（１）本願発明と引用発明１は、次の構成で一致する。
（一致点）
「　ポリエステル樹脂である結着樹脂と、ワックスと、着色剤を含有する電子写真用粉砕トナーである、
　電子写真用トナー。」
（２）本願発明と引用発明１は、次の点で相違する。
（相違点１）
　本願発明の「電子写真用トナー」は、「トナー用相溶化剤」を含有し、「トナー用相溶化剤は、下記一般式（１）で表される（メタ）アクリル酸エステル単量体単位を５０質量％以上含み、かつ１／２法による溶融温度が５５℃以上である重合体である」のに対して、引用発明１は、このように特定されたものではない点。
　ＣＨ２＝ＣＲ１−ＣＯＯＲ２　　・・・（１）
　（式（１）中、Ｒ１は水素原子またはメチル基であり、Ｒ２は炭素数１８以上のアルキル基である。）
３　相違点１についての判断
（１）特許法２９条１項３号（新規性）についての判断
　本願発明１と引用発明１は、上記２（２）に記載した相違点１で相違することから、両者が同一の発明であるとはいえない。
（２）特許法２９条２項（進歩性）についての判断
　引用発明１の「結晶性樹脂（Ｂ−４）」は、「ベヘニルアクリレート（炭素数２２個の直鎖アルキル基を有するアルコールのアクリレート：ブレンマーＶＡ（日本油脂製））１２０部、２−エチルヘキシルアクリレート２０部、メタクリル酸１０部、アゾビスイソブチロニトリル（ＡＩＢＮ）７．５部を仕込み、２０℃で撹拌、混合」した「単量体溶液」を用いて調整したものである。
　また、「ベヘニルアクリレート（炭素数２２個の直鎖アルキル基を有するアルコールのアクリレート：ブレンマーＶＡ（日本油脂製））」は、本願発明の「一般式（１）で表される（メタ）アクリル酸エステル単量体単位」に相当する。
　しかしながら、引用文献１の【０００７】には、「本発明のトナーバインダーは、ポリエステル樹脂（Ａ）と結晶性樹脂（Ｂ）とを含有する。」と記載されているから、引用発明１の「結晶性樹脂（Ｂ−４）」は、「トナーバインダー」である。
　そうしてみると、引用発明１の「結晶性樹脂（Ｂ−４）」を本願発明でいう「相溶化剤」として理解することはできない。
　念のため、引用発明１の「ポリエステル樹脂（Ａ−１）」及び「結晶性樹脂（Ｂ−４）」を、それぞれ、本願発明の「結着樹脂」及び「相溶化剤」に相当すると仮定する。
　しかしながら、引用発明１の「結晶性樹脂（Ｂ−４）」の分量は、「ポリエステル樹脂（Ａ−１）」３０部に対して、７０部である。
　そうしてみると、引用発明の「トナー組成物（Ｔ−８）」は、相違点１に係る本願発明の「前記結着樹脂１００質量部に対して、前記トナー用相溶化剤を０．３質量部以上１０質量部以下含有する」という要件を満たさない。
　また、引用発明１の「結晶性樹脂（Ｂ−４）」の分量を前提として、これを相違点１に係る本願発明の「前記結着樹脂１００質量部に対して、前記トナー用相溶化剤を０．３質量部以上１０質量部以下含有する」という要件を満たすように変更すること（７０部を０．９部以上３部以下の範囲にまで減らすこと）が、当業者が容易に発明できたことであるということもできない。
２　先願発明２
　本願発明と先願発明２を対比すると、以下のとおりとなる。
（１）結着樹脂、ワックス、着色剤
　先願発明２−１の「ポリエステル樹脂（Ａ−１）」と先願発明２−２の「ポリエステル樹脂（Ａ−３）」、「カルナバワックス」及び「カーボンブラックＭＡ−１００［三菱化学(株)製］」はそれぞれ、技術的にみて、本願発明１の「ポリエステル樹脂である結着樹脂」、「ワックス」及び「着色剤」に相当する。
（２）電子写真用粉砕トナー　
　先願発明２−１の「トナー組成物（Ｔ−９）」及び先願発明２−２の「トナー組成物（Ｔ−１２）」は、「静電荷現像用」のものであるから、電子写真用であることは明らかである。
　また、先願発明２−１は、「ポリエステル樹脂（Ａ−１）３０部、結晶性樹脂（Ｂ−４）７０部配合し、トナーバインダーを得、カーボンブラックＭＡ−１００［三菱化学(株)製］８部、カルナバワックス５部、荷電制御剤Ｔ−７７［保土谷化学(製)］１部を加え、ヘンシェルミキサーを用いて予備混合した後、二軸混練機で混練し、超音速ジェット粉砕機ラボジェットを用いて微粉砕した後、気流分級機で分級してトナー粒子を得」たものである。さらに、先願発明２−２においては、先願発明２−１における「ポリエステル樹脂（Ａ−１）３０部、結晶性樹脂（Ｂ−４）７０部に替えて、「ポリエステル樹脂（Ａ−３）６０部、結晶性樹脂（Ｂ−４）４０部を配合したことを除き、先願発明２−１と同様にトナー粒子を得たものである。
　そうしてみると、先願発明２−１の「トナー組成物（Ｔ−９）」及び先願発明２−２の「トナー組成物（Ｔ−１２）」は、ポリエステル樹脂である結着樹脂、ワックス及び着色剤を含有する、粉砕トナーであるといえる。
　したがって、先願発明２−１の「トナー組成物（Ｔ−９）」及び先願発明２−２の「トナー組成物（Ｔ−１２）」と、本願発明の「電子写真用トナー」は、「ポリエステル樹脂である結着樹脂と、ワックスと、着色剤と」「を含有する」点で共通する。また、先願発明２−１の「トナー組成物（Ｔ−９）」及び先願発明２−２の「トナー組成物（Ｔ−１２）」は、本願発明の「電子写真用粉砕トナー」に相当するといえる。
２　一致点及び相違点
（１）本願発明と先願発明２は、次の構成で一致する。
（一致点）
「　ポリエステル樹脂である結着樹脂と、ワックスと、着色剤を含有する電子写真用粉砕トナーである、
　電子写真用トナー。」
（２）本願発明と先願発明２は、次の点で相違する。
（相違点２）
　本願発明の「電子写真用トナー」は、「トナー用相溶化剤」を含有し、「トナー用相溶化剤は、下記一般式（１）で表される（メタ）アクリル酸エステル単量体単位を５０質量％以上含み、かつ１／２法による溶融温度が５５℃以上である重合体である」のに対して、先願発明２は、このように特定されたものではない点。
　ＣＨ２＝ＣＲ１−ＣＯＯＲ２　　・・・（１）
　（式（１）中、Ｒ１は水素原子またはメチル基であり、Ｒ２は炭素数１８以上のアルキル基である。）
３　相違点２についての判断
（１）同一か否かについての判断
　本願発明１と先願発明２は、上記２（２）に記載した相違点２で相違することから、両者が同一の発明であるとはいえない。
（２）実質同一か否かについての判断
　先願発明２の「結晶性樹脂（Ｂ−４）」は、「ベヘニルアクリレート（炭素数２２個の直鎖アルキル基を有するアルコールのアクリレート：ブレンマーＶＡ（日本油脂製））１２０部、２−エチルヘキシルアクリレート２０部、メタクリル酸１０部、アゾビスイソブチロニトリル（ＡＩＢＮ）７．５部を仕込み、２０℃で撹拌、混合」した「単量体溶液」を用いて調整したものである。
　また、「ベヘニルアクリレート（炭素数２２個の直鎖アルキル基を有するアルコールのアクリレート：ブレンマーＶＡ（日本油脂製））」は、本願発明の「一般式（１）で表される（メタ）アクリル酸エステル単量体単位」に相当する。
　しかしながら、先願明細書の【０００７】には、「本発明のトナーバインダーは、ポリエステル樹脂（Ａ）と結晶性樹脂（Ｂ）とを含有する。」と記載されているから、先願発明２の「結晶性樹脂（Ｂ−４）」は、「トナーバインダー」である。
　そうしてみると、先願発明２の「結晶性樹脂（Ｂ−４）」を本願発明でいう「相溶化剤」として理解することはできない。
　念のため、先願発明２−１の「ポリエステル樹脂（Ａ−１）」と先願発明２−２の「ポリエステル樹脂（Ａ−３）」及び「結晶性樹脂（Ｂ−４）」を、それぞれ、本願発明の「結着樹脂」及び「相溶化剤」に相当すると仮定する。
　しかしながら、先願発明２−１の「結晶性樹脂（Ｂ−４）」の分量は、「ポリエステル樹脂（Ａ−１）」３０部に対して、７０部であって、先願発明２−２の「結晶性樹脂（Ｂ−４）」の分量は、「ポリエステル樹脂（Ａ−３）」６０部に対して、４０部である。
　そうしてみると、先願発明２−１の「トナー組成物（Ｔ−９）」及び先願発明２−２の「トナー組成物（Ｔ−１２）」は、相違点１に係る本願発明の「前記結着樹脂１００質量部に対して、前記トナー用相溶化剤を０．３質量部以上１０質量部以下含有する」という要件を満たさない。
　また、先願発明２の「結晶性樹脂（Ｂ−４）」の分量を前提として、これを相違点２に係る本願発明の「前記結着樹脂１００質量部に対して、前記トナー用相溶化剤を０．３質量部以上１０質量部以下含有する」という要件を満たすように変更すること（先願発明２−１において７０部を０．９部以上３部以下の範囲にまで減らすこと、及び先願発明２−２において６０部を１．２部以上４部以下の範囲にまで減らすこと）が、課題解決のための具体化手段における微差であるということもできない。
第７　原査定について
　平成３０年９月１０日付けの手続補正により、本願発明は、粉砕トナーであって、結着樹脂１００質量部に対して、トナー用相溶化剤を０．３質量部以上１０質量部以下含有するという構成を備えるものとなっている。
　他方、原査定の拒絶の理由において引用文献１として引用された特開２０１１−１５０３２０号公報には、湿式法によって製造されるトナーが記載されており、粉砕トナーとすることは記載されていない。また、当該文献には、ベヘニルアクリレートを相溶化剤として用いること、その分量を本願発明の数値範囲内のものとすること及びそのようにすることによる効果について記載も示唆もされていない。
　そうしてみると、原査定において引用された引用文献１に記載された発明であるとはいえない。
　また、当業者であっても、原査定において引用された引用文献１に基づいて、容易に発明できたとはいえない。
　したがって、原査定の理由を維持することはできない。
第８　むすび
　以上のとおり、原査定の理由によって、本願を拒絶することはできない。
　また、他に本願を拒絶すべき理由もない。
　よって、結論のとおり審決する。